(57)【特許請求の範囲】
【請求項１】
開口を有し、中にろ過される液体とフイルター・カートリッジとが入れられるコンテナー（５）と、このコンテナーの前記開口を開閉するようにコンテナーに装着される蓋（８）とを具備する液体をろ過する容器であって、前記コンテナー中には、前記蓋の開成によって前記開口が開成されて前記ろ過される液体とフイルター・カートリッジとがコンテナー（５）に入れられ、また、この蓋の開成を検出してカウントするように、コンテナー（５）並びに／もしくは蓋（８）に関連して設けられたカウント装置（１５）をさらに具備する容器。
【請求項２】
前記カウント装置（１５）は、蓋（８）もしくはコンテナー（５）に装着され、ディスプレイ（１６）と動作的に関連したラチエット機構（１６，３６）を有し、このラチエット機構は、コンテナー（５）もしくは蓋（８）に設けられた形状部（３８）と共同して、蓋（８）の開閉ごとに間欠的にディスプレイ（１６）を前進させる、動作捕獲突起（１２）を有する請求項１の容器。
【請求項３】
前記ラッチ機構は、逃げ形式である請求項２の容器。
【請求項４】
前記ラッチ機構とラチエット機構（１６，３６）とは、蓋（８）に装着され、また、前記動作捕獲突起（１２）は、蓋（８）の開閉の間に前記形状部（３８）と相互作用する位置で前記コンテナーに形成されている。請求項３の容器。
【請求項５】
前記ラチエット機構は、歯部を備えたディスク形状部材（１６）と、このディスク形状部材（１６）の歯部（２３）を作動する爪（３６）とを有し、これらは、互いに同軸的に蓋（８）上で係合され得る請求項３の容器。
【請求項６】
前記カウント装置（１５）は、電気的もしくは電気／機械的に作動され、蓋（８）の各開成並びに／もしくは閉成ごとにパルスを発生するパルス発生器（１２，７０；８１，７０；９０，９１）と、この発生器により発生されるパルスをカウントするカウンター（１５）と、カウントされたパルスを表示するためのディスプレイ（７１）とを有する請求項１の容器。
【発明の詳細な説明】
技術分野
本発明の主題は、主請求項の上位概念に係わる、液体、特に、飲料水をろ過する容器
である。
交換可能なフイルター・カートリッジを有し、有効なろ過をする形式の容器が知られている。このようなフイルター・カートリッジは、所定回数並びに／もしくは所定期間の後に、除去されそして交換される。
従来技術
従来技術に係われば、ろ過効力が無くなったときに、カートリッジを交換するように使用者は覚えている。しかし、カートリッジを最後に交換した後に、使用したろ過回数を覚えておくのは容易ではない。
本発明の目的は、有効なろ過回数が過ぎた場合にフイルター・カートリッジを交換するために、フイルター・カートリッジの有効性を使用者がモニターするのが容易な構造並びに操作のろ過容器を提供することである。
発明の開示
この目的は、請求の範囲に関わって構成された容器により達成される。
【図面の簡単な説明】
本発明の特徴並びに効果は、以下の図面に示された、好ましいが限定されない実施の形態の詳細な説明により明らかになるであろう。
図１は、一部を切欠して示す本発明に関わる容器の正面図である。
図２は、上記容器の上から見た、詳細な部分切欠平面図である。
図３は、同容器の上から見た、詳細な部分切欠斜視図である。
図４は、図３の上から見た、詳細な分解斜視図である。
図５は、部分的に示す、上記図面の第１の変形例の容器の縦断面図である。
図６は、図４のＶＩ−ＶＩ線に沿う断面図である。
図７は、上から見た図５並びに６の容器の部分断面平面図である。
図８は、部分的に示す、上記図面の第２の変形例の容器の縦断面図である。
図９は、図８のＩＸ−ＩＸ線に沿う断面図である。
図１０は、上から見た図８並びに９の容器の部分断面平面図である。
図１１は、部分的に示す、上記図面の第３の変形例の容器の縦断面図である。
図１２は、図１１のＸＩＩ−ＸＩＩ線に沿う断面図である。
図１３は、上から見た図１１並びに１２の容器の部分断面平面図である。
図１４は、部分的に示す、上記図面の第４の変形例の容器の縦断面図である。
図１５は、図１４のＸＶ−ＸＶ線に沿う断面図である。
図１６は、上から見た図１４並びに１５の容器の部分断面平面図である。
図１７，１８，１９は、本発明の容器の３つの別の変形例の部分断面側面図である。
本発明の実施の形態
図１ないし３において、本発明に関わる容器は符号１で示され、ハンドル３並びにろ過された水を注ぐための注ぎ口４とを備えたジョッキ２と、このジョッキ２内に収容され、口部７で結合した形状で支持された漏斗形状のコンテナー５と、このコンテナー５を着脱可能に閉じるように位置された蓋８とを具備する。
前記コンテナー５は、例えば、所定のろ過サイクル数の後に交換され得るフイルター・カートリッジ１１のためのハウジング１０が基部内に配置される入れ物９を、既知の方法で、規定している。表示の例として、前記カートリッジ１１は、３０回のろ過回数を果たすように設定されており、３０回の回数の後に交換されなければならないものであることを仮定する。
板状の捕獲突起１２が、注ぎ口４に面する側で、コンテナー５の入れ物９の壁から径方向内方に突出している。
本発明に関われば、前記蓋８は、カートリッジ１１により果たされたろ過回数をカウントする装置１５を備えている。この装置１５は、蓋８と一体的な突起１７を中心として回転可能であり、また、突起１７に挿入されたピン１９の頭部と当接した螺旋ばね１８により蓋８の面する壁２１上に弾性的に付勢された表示ディスク１６を有する。
順次数が付された多数のセクターで目盛られたスケール２２が、壁２１と面するディスク１６の面に印刷されている。スケール２２の各セクターに対して、ディスク１６の外エッジは、ほぼ垂直かディスクの回転軸を含む平面に位置された１つの面２４と、傾斜面のようにテーパが付けられた２つの側面２５ａ，２５ｂとを備えた台形の歯部２３を有している。これら歯部は、平坦なベースを備えた凹所２６により夫々離間されている。
ディスク１６の２つの隣り合う歯部間の凹所２６の１つは、以下に説明されるように所定の回転が完了したときにディスク１６を停止させるように設けられたブリッジ２７により、少なくとも部分的にブロックされる。図示の実施の形態では、このブリッジ２７は、単に例示であり図面を明確にするために、仮想の角度位置で示されており、実際には、用語“停止”が付されたセクターと直径上で対向しているので図面では見ることのできない位置にある。
前記ディスク１６の反対の面は、グリップ２８（ディスク１６を手動で回転させる機能を果たす）と対照の表示矢印２９とが設けられている。
突起１７に加えて、蓋８の壁２１は、コンテナー５の外からスケール２２を見ることができる蓋を通して延びた窓３０と、フイルター・カートリッジ１１が取り替えられた後のディスク１６の最初の位置のための矢印２９に対応するようにされた指示矢印３１と、ディスク１６が反対方向に回転するのを阻止するための一方向停止歯部３２と、夫々符号３３，３４で示された付属物とを有する。付属物３３は、爪３６を付属物３４に弾性的に当接するように付勢するばね３５のための肩部として機能する。この爪３６は、突起１７に回動可能に支持され、カム形状部３８と同様にディスクを進めるたの一方向停止歯部３７を支持している。このカム形状部は、蓋８の各開成並びにこれに続く閉成に従って、爪３６の完全な揺動を果たすように入れ物９の捕獲突起１２と共同できるラム、即ち、傾斜面を有する。
一方向停止歯部３２と、ディスク１６のエッジに形成された１セットの歯部２３と、爪３６とは、蓋８の各開成とそれに続く閉成とで、ディスク１６の間欠的な回転のための逃げラチェット機構を構成している。
ディスク１６が、自身の軸線を中心として回転するのに従って、ディスク１６は、突起１７に弾性的に装着されているので、歯部３２と歯部３７との両方を通過することができることが理解できるであろう。
上記容器は、以下のように動作する。最初に、ろ過される水が、蓋８が取外された後に、コンテナー５に供給される。この蓋８が取外されたときに、爪は、ばね３５の作用のもとで矢印Ａで示される方向に回動され、この爪に形成された停止歯部３７は、側面２５ａ，２５ｂの傾斜面を摺動することにより予め係合された歯部の隣の歯部を越える。
かくして、爪は、蓋８によるコンテナーの次の閉成時に、ディスク１６を前進させるように準備される。これが生じた時に、コンテナーの捕獲突起１２と、爪のカム形状部３８との間の係合により、爪は、矢印Ｂで示される方向に自身の軸線を中心として回動されて、ディスクを１ステップだけ前進させる。
しかし、蓋８の３０回の開閉が完了すると、爪３６の一方向停止歯部３７は、２つの近接した歯部２３間のブリッジ形状のクロス片２７にもたらされる。この結果、一方向停止歯部３２は、ディスクが後方に回転するのを確実に防止し、ディスク１６のさらなる回転は、カートリッジ１１が取り替えられるべきである警告の表示を窓３０を介してディスプレイすることが可能なようにして、阻止される。
本発明の容器の種々の変形例において、同様もしくは機能的に透過な部材は、上記実施の形態と同じ参照符号により示されている。
図５ないし図７の容器は、ばね３５が爪３６に一体的に形成されている点で、上記実施の形態とは異なる。カウント装置の他の部材並びに動作は、容器１のものと同じである。
図８ないし図１０の容器は、表示ディスクの代わりに、ドラム形状のカウント装置４０を有する点が、前記実施の形態の容器とは異なる。このカウント装置４０は、２つの肩部４１ａ，４１ｂ間で回転可能に支持され、逃げラチェット機構４２により、自身の軸線を中心として間欠的に回転される。この機構４２の爪４３は、蓋８にピン４８により支持され、ばね４９により弾性的に付勢されている。また、この爪４３は、夫々が各セットの爪部４６ａ，４６ｂに係合した２つのフック４５ａ，４５ｂを支持した弾性アーム部４４を有し、蓋のコンテナー５への各開成並びにこれに続く閉成での捕獲突起１２との相互作用により、ピン４８を中心として回動される。
図１１ないし図１３の容器において、爪３６は、回動可能よりもむしろ蓋８に沿って長手方向に摺動可能になっている。カム形状部３８は、捕獲突起１２に形成された対応する傾斜面５０と共同する傾斜面を有するような形状である。爪３６は、一側で、自由端にフック５２が形成された弾性アーム部５１を支持し、他側で、一方向に表示ディスク１６の回転を規定するための捕獲形状部５３を有する。
前記表示ディスク１６は、蓋８の面２１と面する上面にノコギリ刃形状の複数の歯部５４を有する。
図１４ないし図１６の実施の形態は、この実施の形態においては、捕獲形状部５３の代わりに分離フック６０が使用されている点が上記実施の形態と本質的に異なる。この分離フック６０は、これのアーム６１が蓋８の横壁６２を捕獲できるように、蓋８に制限された回動が可能なように装着されている。
本発明の容器のさらなる実施の形態が、図１７ないし図１９に示されている。これら全ての実施の形態は、容器の蓋８と関連して設けられたカウント装置１５が電気的なカウント手段を共通して持っている。このカウント手段は、フイルター・カートリッジ１１が交換されるべきであることを、信号、例えば、音もしくは視覚で、使用者に自動的に警報するために、容器の開閉数を記憶することができる。
また、蓋８の開閉数には関係なく、カートリッジ１１を、例えば、古くなったために、破棄するべきであることを警報するために、カウント装置に適当なタイマーが付加され得る。
図１７に示す実施の形態において、窓３０を通して見ることができるディスプレイ７１で読み取られ得るカウントは、蓋８に固定された電気的なカウント装置１５に装着された押しボタン７０を作動する捕獲突起１２により作動される。
図１８に示す実施の形態において、電気的なカウント装置１５は、レバー８０により作動される。このレバーの前部８１は、蓋８の閉成のときに、装置１５の上壁を通して見ることのできるディスプレイ７１のナンバリングを回転させる、押しボタン７０を作動する。
本発明の装置のさらなる変形において、ディスプレイ７１（図１９）は、入れ物９に装着された磁石９１により駆動される磁石片９０により作動される。
自然に、磁石片９０への磁石９１の吸引もしくは反発作用は、区別なく与えられ得る。
【図１】
0003856469.tif 000002
【図２】
0003856469.tif 000003
【図３】
0003856469.tif 000004
【図４】
0003856469.tif 000005
【図５】
0003856469.tif 000006
【図６】
0003856469.tif 000007
【図７】
0003856469.tif 000008
【図８】
0003856469.tif 000009
【図９】
0003856469.tif 000010
【図１０】
0003856469.tif 000011
【図１１】
0003856469.tif 000012
【図１２】
0003856469.tif 000013
【図１３】
0003856469.tif 000014
【図１４】
0003856469.tif 000015
【図１５】
0003856469.tif 000016
【図１６】
0003856469.tif 000017
【図１７】
0003856469.tif 000018
【図１８】
0003856469.tif 000019
【図１９】
0003856469.tif 000020